(57)【要約】 【課題】多用途の機能を付与するとともに、その機能の利便性をも向上させた薬手帳カバーを提供すること。【解決手段】  カバー本体１０と、カバー本体の内面側一方の天縁部、地縁部、側端縁部にそれぞれ対応させて溶着した第１の表紙抑え込み部１２と、二重樹脂製シートの天縁部、地縁部をカバー本体の内面側他方の天縁部、地縁部にそれぞれ対応させて溶着し、且つ当該二重樹脂製シートのうちカバー本体側の面の側端縁部をカバー本体の側端縁部に溶着したことにより、カバー本体の内面側他方の側端縁部側に開口部１４ａを形成した第２の表紙抑え込み部１４と、該開口部１４ａにファスナー２５を設け、かつ第１の表紙抑え込み部１２にカード用ポケット１２ａ、１２ｂ、・・を設けた。【選択図】図３
0003134092.tif 000002
【実用新案登録請求の範囲】
【請求項１】
薬手帳の表紙を覆うカバーであって、
前記薬手帳の表紙に対応し、中央部の天地方向に沿った凹凸による折り曲げ部を設けた樹脂製シートからなるカバー本体と、
樹脂製シートからなり、当該樹脂製シートの天縁部、地縁部、側端縁部を前記カバー本体の内面側一方の天縁部、地縁部、側端縁部にそれぞれ対応させて溶着した前記薬手帳の一方の表紙を抑え込む第１の表紙抑え込み部と、
１枚の樹脂製シートを折り曲げて２枚重ねにした二重樹脂製シートの天縁部、地縁部を前記カバー本体の内面側他方の天縁部、地縁部にそれぞれ対応させて溶着するとともに、当該二重樹脂製シートのうち前記カバー本体側の面の側端縁部を前記カバー本体の側端縁部に溶着し、前記カバー本体の内面側他方の側端縁部側に開口部を形成する、前記薬手帳の他方の表紙を抑え込む第２の表紙抑え込み部と、
該開口部を天地方向に開閉自在にするファスナーと、
を備えたことを特徴とする薬手帳カバー。
【請求項２】
前記第１の表紙抑え込み部の外面には、１枚の樹脂製シートの両側端縁部を前記第１の表紙抑え込み部の両側端縁部に、地縁部を前記第１の表紙抑え込み部の外面所定の位置に溶着したことにより前記カバー本体の内面側一方の天縁部方向に開口部を形成したカード用ポケットが設けられていることを特徴とする請求項１記載の薬手帳カバー。
【請求項３】
前記カード用ポケットは、１枚の樹脂製シートをそれぞれ所定の長さ天地方向にずらした状態で重ねられて、前記第１の表紙抑え込み部の外面に複数個所設けられていることを特徴とする請求項２記載の薬手帳カバー。
【考案の詳細な説明】
【技術分野】
【０００１】
本考案は、薬局向けの薬手帳カバーに関し、詳しくは領収書などの小物やカード等を保管し易くした薬手帳カバーに関するものである。
【背景技術】
【０００２】
従来、冊子等のカバーとしては、ブックカバー、手帳カバー等があり、手帳カバーでは筆記具が差し込み可能なホルダを備えたものは周知である。付録物を収納する収納部を備えた従来のブックカバーには、図５（ａ），（ｂ）に示すものがある。同図を参照して説明すると、このブックカバー５０には、カバー５１に書籍５２の表表紙５３と裏表紙５４とを折り畳んで収納する折り畳み片５５，５６が設けられており、カバー５１の裏表紙５４側に付録などを収納する収納部５７が設けられている（例えば、特許文献１参照）。
【０００３】
また、ブックカバー、手帳カバー等では、種々の付帯的用途や便利性が備えられることが要求される場合があるが、従来のブックカバーや手帳カバー等では、そのような要求に応えることができず、工夫の余地があった。
【０００４】
またさらに、冊子等のカバーには、カード等の挿入部が設けられていることが知られているが、例えば、図６に示すようにカバー本体６０に手帳６１の表紙６２を差し込む袋部６３が設けられ、一方の袋部６３に切り抜き部６４が設けられている。この切り抜き部６４が設けられた袋部６３には、定期などのカードＣが挿入して収納することができ、この切り抜き部６４は、カードＣを指で押し出して取り出す際に利用することができる技術が開示されている（特許文献２参照）。しかし、単一の挿入部であるため、複数のカード類を持ち運ぶ際には、その利用が非常に煩雑となるという問題があった。
【０００５】
【特許文献１】特開２００３−３１２１６５号公報（明細書全文，図面全図）
【特許文献２】特開２００５−０８８３８０号公報（明細書全文，図面全図）
【考案の開示】
【考案が解決しようとする課題】
【０００６】
本考案は、上記のような課題に鑑みなされたものであって、薬手帳カバーに多用途の機能を付与するとともに、その機能の利便性をも向上させることができる薬手帳カバーを提供することを目的とする。
【課題を解決するための手段】
【０００７】
本考案は、上記目的を達成するために、次の技術的手段を講じている。
即ち、請求項１記載の薬手帳カバーは、薬手帳の表紙を覆うカバーであって、前記薬手帳の表紙に対応し、中央部の天地方向に沿った凹凸による折り曲げ部を設けた樹脂製シートからなるカバー本体と、樹脂製シートからなり、当該樹脂製シートの天縁部、地縁部、側端縁部を前記カバー本体の内面側一方の天縁部、地縁部、側端縁部にそれぞれ対応させて溶着した前記薬手帳の一方の表紙を抑え込む第１の表紙抑え込み部と、１枚の樹脂製シートを折り曲げて２枚重ねにした二重樹脂製シートの天縁部、地縁部を前記カバー本体の内面側他方の天縁部、地縁部にそれぞれ対応させて溶着するとともに、当該二重樹脂製シートのうち前記カバー本体側の面の側端縁部を前記カバー本体の側端縁部に溶着し、前記カバー本体の内面側他方の側端縁部側に開口部を形成する前記薬手帳の他方の表紙を抑え込む第２の表紙抑え込み部と、該開口部を天地方向に開閉自在にするファスナーと、を備えたことを特徴としている。
【０００８】
また、請求項２記載の薬手帳カバーは、請求項１記載の薬手帳カバーにおいて、前記第１の表紙抑え込み部の外面には、１枚の樹脂製シートの両側端縁部を前記第１の表紙抑え込み部の両側端縁部に、地縁部を前記第１の表紙抑え込み部の外面所定の位置に溶着したことにより前記カバー本体の内面側一方の天縁部方向に開口部を形成したカード用ポケットが設けられていることを特徴としている。
【０００９】
またさらに、請求項３記載の薬手帳カバーは、請求項２記載の薬手帳カバーにおいて、前記カード用ポケットは、１枚の樹脂製シートをそれぞれ所定の長さ天地方向にずらした状態で重ねられて、前期第１の表紙抑え込み部の外面に複数個所設けられていることを特徴としている。
【考案の効果】
【００１０】
請求項１記載の薬手帳カバーによると、薬手帳の表紙を抑え込む部分が開口部を有しており、さらにその開口部を開閉自在にすることができるファスナーが設けられているため、薬手帳の表紙を抑え込んで薬手帳自体を保護する薬手帳収納機能だけに留まらず、例えば領収書等の小物等を安全に保管し、また、持ち運ぶことができるようになる。
【００１１】
また、請求項２記載の薬手帳カバーによると、薬手帳の表紙抑え込み部の外面に開口部を有するカード用ポケットが設けられているため、診察カードを保管する場合や、病院等に行く場合のようにカードを所持して移動しなくてはならない場合等に好適に且つ安全に利用することが可能となる。
【００１２】
またさらに、請求項３記載の薬手帳カバーによると、カード用ポケットが複数設けられているので、複数カードの所持及び保管に好適に用いることが可能となり、省スペース化を図ることができる。
【考案を実施するための最良の形態】
【００１３】
以下、本考案に係る薬手帳カバーの第１の実施形態を図面を参照して説明する。
薬手帳カバー１は、図１に示すように、カバー本体１０を有しており、カバー本体１０は、樹脂製シート（塩化ビニールやオレフィン樹脂製）からなり、寸法は約２２．５ｃｍ×縦１５．７ｃｍの略長方形の形状で、中心部の天地方向に沿った凹凸による折り曲げ部１０ａが形成されている。
また、図左側の第１の表紙抑え込み部１２は、同様に樹脂製シートからなり、寸法は、約横７．１ｃｍ×縦１５．７ｃｍである。樹脂製シートの天縁部、地縁部、側端縁部を前記カバー本体１０の内面側一方の天縁部、地縁部、側端縁部にそれぞれ対応させて溶着して、薬手帳の一方の表紙を抑え込む（挟み込む）ようになっている。
【００１４】
またさらに、図右側の第２の表紙抑え込み部１４は、同様に樹脂製シートからなり、寸法は、約横１０．５ｃｍ×縦１５．７ｃｍである。
この第２の表紙抑え込み部１４は、一枚の横幅約１９ｃｍの樹脂製シート１４ａの両サイドに、予め縦方向に凸状リブが形成された樹脂製のオス側ファスナー２５ａと、縦方向に凹状溝が形成されたメス側ファスナー２５ｂとをそれぞれ溶着しておいたものを折り畳んだものである。
ファスナー２５の寸法は約横１．０ｃｍ×縦１５．７ｃｍである。
【００１５】
第２の表紙抑え込み部１４の形成方法は、上述したように、既に両サイドにそれぞれ対応するファスナー２５ａ、２５ｂが溶着された樹脂製シート１４ａを、広げた状態でシート本体１０の上に重ねて、図２（ａ）に示すように、ファスナー２５ｂが溶着された樹脂製シート１４ａの端部位置をシート本体１０の側端縁部に合わせて溶着する。続いて、樹脂製シート１４ａを重ね合わせ、ファスナー２５ａとファスナー２５ｂとを嵌合させた状態でファスナーの一部をなすスライダー２５ｃを取り付ける。
【００１６】
そして、樹脂製シート１４ａを重ね折りした状態でカバー本体１０の図右側天縁部２０及び地縁部２１に溶着させる。こうすることで、図２（ｂ）に示すように、第２の表紙抑え込み部１４がカバー本体１０の図右側側縁端部においても開閉自在な開口部１４ｂが形成され、内部は袋状になる。このとき、第１の表紙抑え込み部１２も、カバー本体１０の左側端縁部に、その左側端縁部を合わせ、天地方向も合わせて同時に溶着する。
【００１７】
なお、図２（ｃ）は、ファスナー２５の部分を拡大した図である。こうすることで、表紙抑え込み部１４に小物等を収納することができ、さらに開口部１４ｂを閉じることができるので、安全に保管することが可能となる。
なおまた、上記の寸法にすることで、薬局用の薬手帳に好適に用いることができることになる。
【００１８】
次に、本考案に係る薬手帳カバーの第２の実施形態を図面を参照して説明する。
第２の実施形態は、図３に示すように、カバー本体１０の左側に設けられた、第２の表紙抑え込み部１２の表面に、カード用ポケット１２ａ、１２ｂ、１２ｃ、１２ｄが設けられているものである。
これらは、それぞれ一枚の樹脂製シートからなり、まず、図４（ａ）に示すように、カード用ポケット１２ａを、シート本体１０に溶着する前の状態にある第１の表紙抑え込み部１２の所定位置にその地縁部を溶着するとともに両側端縁部も溶着する。さらに、図４（ｂ）に示すように、カード用ポケット１２ｂをカード用ポケット１２ａの天縁側から地縁方向に向かって所定の位置においてカード用ポケット１２ａに一部重なるように第１の表紙抑え込み部１２の所定位置で地縁部を溶着するとともに、両側端縁部も溶着する。
【００１９】
同様にして、図４（ｃ）に示すように、カード用ポケット１２ｃ、１２ｄと一部重ねるようにそれぞれ溶着していく。
このようにして、複数のカード用ポケット１２ａ，１２ｂ・・・が形成された第１の表紙抑え込み部１２を、先の実施形態と同様にして、シート本体１０上に第２の表紙押さえ込み部１４とともに配置して同時に溶着する。
こうすることで、限られた第１の表紙抑え込み部１２の表面のスペースを有効に利用することができ、さらに複数のカード類を持ち運んだり、安全に保管することが可能となる。
尚、カード用ポケット１２ａ、１２ｂ、１２ｃ、１２ｄ各開口部は、例えば診察カードの幅と同様のサイズにしておくことで、診察カードの脱落を効果的に防止することも可能となる。
【００２０】
さらに、表紙抑え込み部１４側には、ファスナーを設けていることにより薬手帳カバーのより高い機能を確保することができるようになる。
【００２１】
また、本考案に係る薬手帳カバーは樹脂製シートからなるが、これは透明、半透明あるいは着色されたものでも良く、外観的に美観を生じさせることも可能なものである。
【産業上の利用可能性】
【００２２】
本考案に係る薬手帳カバーは、小物等を収納できる袋状部材の開口部にファスナーを設け、かつカード類等を挿入できる複数のカード用ポケットを設けているため、それらのものを容易に持ち運ぶことができ、さらに安全に保管することが可能である。
【図面の簡単な説明】
【００２３】
【図１】本考案に係る薬手帳カバーの第１の実施態様を示した図である。
【図２】（ａ）は、本考案に係る冊子カバーのうち１枚の樹脂製シートを重ね折った状態でカバー本体に溶着する状態を示した図で、（ｂ）は、溶着後の開口部を表した図で、（ｃ）は、本考案に係る薬手帳カバーのファスナー部分の拡大図である。
【図３】本考案に係る薬手帳カバーの第２の実施態様を示した図である。
【図４】（ａ）、（ｂ）、（ｃ）ともに、本考案に係る薬手帳カバーの第２の実施態様におけるカード用ポケットの溶着状態を示した図である。
【図５】従来のブックカバーを示した図である。
【図６】従来の冊子カバーを示した図である。
【符号の説明】
【００２４】
１      薬手帳カバー
１０    カバー本体
１０ａ  中央部
１２    第１の表紙抑え込み部
１２ａ  カード用ポケット
１２ｂ  カード用ポケット
１２ｃ  カード用ポケット
１２ｄ  カード用ポケット
１４    第２の表紙抑え込み部
１４ａ  開口部
２０    天縁部
２１    地縁部
２５    ファスナー
５０    ブックカバー
５１    カバー
５２    書籍
５３    表表紙
５４    裏表紙
５５，５６  折り畳み片
５７    収納部
６０    カバー本体
６１    手帳
６２    表紙
６３    袋部
６４    切り抜き部
Ｃ      カード
【図１】
0003134092.tif 000003
【図２】
0003134092.tif 000004
【図３】
0003134092.tif 000005
【図４】
0003134092.tif 000006
【図５】
0003134092.tif 000007
【図６】
0003134092.tif 000008